(57)【要約】【課題】直接印刷時の印刷コマンドとは異なる印刷コマンドで、ジョブを印刷装置に保存でき、且つ、直接印刷用の印刷ジョブにかかる印刷を高速に実行する。【解決手段】データ送信端末のデータ送信端末側制御部は、ある画像データを元に、ジョブデータとして、当該画像データと第１印刷コマンドとを含む印刷ジョブと、当該画像データと第２印刷コマンドとを含む保存ジョブとをそれぞれ生成する（ステップＣ２，Ｃ４）。そして、データ送信端末側制御部は、同じ画像データから生成された印刷ジョブと保存ジョブに関して、印刷ジョブを保存ジョブよりも先に印刷装置に送信する（ステップＣ３，Ｃ６）。【選択図】図５
2013161355.tif 000002
【特許請求の範囲】
【請求項１】
印刷装置と前記印刷装置にデータを送信するデータ送信端末とを含む印刷システムであって、
前記データ送信端末は、
ある画像データを元に、ジョブデータとして、当該画像データと第１印刷コマンドとを含む印刷ジョブと、当該画像データと第２印刷コマンドとを含む保存ジョブとをそれぞれ生成するジョブ生成部と、
外部に前記ジョブデータを送信するための送信部と、
前記データ送信端末を制御するデータ送信端末側制御部と、
を備えており、
前記印刷装置は、
外部から前記ジョブデータを受信するための受信部と、
前記ジョブデータを解析する解析部と、
前記解析部での解析結果に基づいて、解析された前記ジョブデータが前記印刷ジョブであるか前記保存ジョブであるかを判定する判定部と、
前記ジョブデータに含まれる画像データにかかる画像を記録媒体に印刷する印刷部と、
前記ジョブデータを記憶する記憶部と、
前記印刷装置を制御する印刷装置側制御部と、
を備えており、
前記データ送信端末側制御部は、
同じ画像データを元にして生成された前記印刷ジョブと前記保存ジョブに関して、前記送信部によって前記印刷ジョブが前記保存ジョブよりも先に外部へ送信されるように制御し、
前記印刷装置側制御部は、
前記受信部で受信された前記ジョブデータを前記受信部で受信された順に前記解析部に解析させ、
前記解析部で解析された前記ジョブデータが前記判定部において前記印刷ジョブと判定された場合には、前記印刷部によって当該印刷ジョブの前記第１印刷コマンドに基づいて、当該印刷ジョブの画像データにかかる画像を記録媒体に印刷させ、前記解析部で解析された前記ジョブデータが前記判定部において前記保存ジョブと判定された場合には、前記記憶部によって当該保存ジョブを記憶させるように制御することを特徴とする印刷システム。
【請求項２】
前記解析部は、前記ジョブデータに前記第１印刷コマンド及び前記第２印刷コマンドの何れが含まれているかを解析し、
前記判定部は、前記解析部において前記ジョブデータに第１印刷コマンドが含まれていると解析されたときは前記ジョブデータが前記印刷ジョブであると判定し、前記解析部において前記ジョブデータに第２印刷コマンドが含まれていると解析されたときは前記ジョブデータが前記保存ジョブであると判定することを特徴とする請求項１に記載の印刷システム。
【請求項３】
前記ジョブ生成部は、前記印刷ジョブにかかる前記ジョブデータと前記保存ジョブにかかる前記ジョブデータを一体として生成し、且つ、前記印刷ジョブにかかる前記ジョブデータ及び前記保存ジョブにかかる前記ジョブデータの順にデータが構成されるように生成し、
前記データ送信端末側制御部は、前記ジョブ生成部において一体として生成された前記印刷ジョブにかかる前記ジョブデータと前記保存ジョブにかかる前記ジョブデータを、前記印刷ジョブにかかる前記ジョブデータが構成されている部分及び前記保存ジョブにかかる前記ジョブデータが構成されている部分の順で前記印刷装置に送信させるように前記送信部を制御することを特徴とする請求項１又は２に記載の印刷システム。
【請求項４】
前記ジョブ生成部において、前記印刷ジョブにかかる前記ジョブデータと前記保存ジョブにかかる前記ジョブデータを個別に生成し、
前記データ送信端末側制御部は、前記ジョブ生成部において個別に生成された前記印刷ジョブにかかる前記ジョブデータ及び前記保存ジョブにかかる前記ジョブデータを、前記印刷ジョブにかかる前記ジョブデータ及び前記保存ジョブにかかる前記ジョブデータの順で前記印刷装置に送信させるように前記送信部を制御することを特徴とする請求項１又は２に記載の印刷システム。
【請求項５】
前記受信部において受信した前記印刷ジョブにかかる前記ジョブデータと前記保存ジョブにかかる前記ジョブデータを一時的に記憶する一時記憶部を更に有し、
前記印刷装置側制御部は、
前記一時記憶部に記憶された前記印刷ジョブに含まれる画像データにかかる画像を記録媒体に印刷させるように前記印刷部を制御し、その後、前記一時記憶部に記憶された前記保存ジョブを前記記憶部に記憶させることを特徴とする請求項３又は４に記載の印刷システム。
【請求項６】
前記記憶部に記憶されている前記保存ジョブに係る印刷指示を、外部から受け付ける指示受付部を更に備えており、
前記印刷装置側制御部は、前記指示受付部に前記印刷指示が入力された場合に、前記記憶部に記憶されている前記保存ジョブに含まれる前記第２印刷コマンドに基づいて、当該保存ジョブの画像データに係る画像を記録媒体へ印刷させるように前記印刷部を制御することを特徴とする請求項１〜５のいずれか１項に記載の印刷システム。
【請求項７】
印刷装置と前記印刷装置にデータを送信するデータ送信端末とを含む印刷システムで実行される印刷方法において、
前記データ送信端末において実行される工程であって、ある画像データを元に、ジョブデータとして、当該画像データと第１印刷コマンドとを含む印刷ジョブと、当該画像データと第２印刷コマンドとを含む保存ジョブとをそれぞれ生成するジョブ生成工程と、
前記データ送信端末において実行される工程であって、前記ジョブ生成工程において生成された前記ジョブデータを前記印刷装置に送信する送信工程と、
前記印刷装置において実行される工程であって、前記送信工程において送信された前記ジョブデータを受信する受信工程と、
前記印刷装置において実行される工程であって、前記受信工程において受信した前記ジョブデータを解析する解析工程と、
前記印刷装置において実行される工程であって、前記解析工程で行った解析の結果に基づいて解析された前記ジョブデータが前記印刷ジョブであるか前記保存ジョブであるかを判定する判定工程と、
前記印刷装置において実行される工程であって、前記判定工程において前記データ送信端末から送信された前記ジョブデータが前記印刷ジョブと判定された場合に、当該印刷ジョブの前記第１印刷コマンドに基づいて、当該印刷ジョブの画像データにかかる画像を記録媒体に印刷する印刷工程と、
前記印刷装置において実行される工程であって、前記判定工程において前記データ送信端末から送信された前記ジョブデータが前記保存ジョブと判定された場合に、当該保存ジョブを記憶部に記憶する記憶工程と、を含んでおり、
前記送信工程においては、同じ画像データから生成された前記印刷ジョブと前記保存ジョブに関して、前記印刷ジョブを前記保存ジョブよりも先に前記印刷装置に送信し、
前記解析工程においては、前記受信工程において受信されたジョブデータを、前記受信工程で受信された順に前記解析部に解析させる、ことを特徴とする印刷方法。
【請求項８】
前記解析工程は、前記ジョブデータに前記第１印刷コマンド及び前記第２印刷コマンドの何れが含まれているかが解析されるものであり、
前記判定工程において、前記解析工程において前記ジョブデータに第１印刷コマンドが含まれていると解析されたときは前記ジョブデータが前記印刷ジョブであると判定し、前記解析工程において前記ジョブデータに第２印刷コマンドが含まれていると解析されたときは前記ジョブデータが前記保存ジョブであると判定することを特徴とする請求項７に記載の印刷方法。
【請求項９】
前記ジョブ生成工程において、前記印刷ジョブにかかる前記ジョブデータと前記保存ジョブにかかる前記ジョブデータを一体として生成し、且つ、前記印刷ジョブにかかる前記ジョブデータ及び前記保存ジョブにかかる前記ジョブデータの順にデータが構成されるように生成し、
前記送信工程において、前記ジョブ生成工程において一体として生成された前記印刷ジョブにかかる前記ジョブデータと前記保存ジョブにかかる前記ジョブデータを、前記印刷ジョブにかかる前記ジョブデータが構成されている部分及び前記保存ジョブにかかる前記ジョブデータが構成されている部分の順で前記印刷装置に送信することを特徴とする請求項７又は８に記載の印刷方法。
【請求項１０】
前記ジョブ生成工程において、前記印刷ジョブにかかる前記ジョブデータと前記保存ジョブにかかる前記ジョブデータを個別に生成し、
前記送信工程において、前記ジョブ生成工程において個別に生成された前記印刷ジョブにかかる前記ジョブデータ及び前記保存ジョブにかかる前記ジョブデータを、前記印刷ジョブにかかる前記ジョブデータ及び前記保存ジョブにかかる前記ジョブデータの順で前記印刷装置に送信することを特徴とする請求項７又は８に記載の印刷方法。
【請求項１１】
前記受信工程において受信した前記印刷ジョブにかかる前記ジョブデータと前記保存ジョブにかかる前記ジョブデータを一時記憶部に記憶する一時記憶工程をさらに含んでおり、
前記解析工程は、前記一時記憶部に記憶された前記ジョブデータを解析するものであり、
前記印刷工程は、前記一時記憶部に記憶された前記印刷ジョブに含まれる画像データにかかる画像を記録媒体に印刷するものであり、
前記記憶工程は、前記一時記憶部に記憶された前記印刷ジョブにかかる前記印刷工程の後に、前記一時記憶部に記憶された前記保存ジョブを記憶部に記憶するものであることを特徴とする請求項９又は１０に記載の印刷方法。
【請求項１２】
前記印刷工程の後に、前記印刷工程にかかる前記印刷ジョブを前記印刷装置内から廃棄する廃棄工程と、
前記廃棄工程の後に、前記印刷装置に対して入力される印刷指令に基づき、前記記録工程において前記記憶部に記憶された前記保存ジョブに含まれる前記第２印刷コマンドに基づいて、当該保存ジョブの画像データにかかる画像を記録媒体に印刷する保存ジョブ印刷工程とを含んでいることを特徴とする請求項７〜１１のいずれか１項に記載の印刷方法。
【請求項１３】
データ送信端末で実行され、データを生成するとともにインターフェースを介して生成したデータを印刷装置に送信するプリンタドライバであって、
前記データ送信端末に、ある画像データを元に、ジョブデータとして、当該画像データと第１印刷コマンドとを含む印刷ジョブと、当該画像データと第２印刷コマンドとを含む保存ジョブとをそれぞれ生成するジョブ生成工程と、前記ジョブ生成工程において生成された前記ジョブデータを前記印刷装置に送信する送信工程と、を実行させ、
前記送信工程は、同じ画像データから生成された前記印刷ジョブと前記保存ジョブに関して、前記印刷ジョブを前記保存ジョブよりも先に前記印刷装置に送信することを特徴とするプリンタドライバ。
【発明の詳細な説明】
【技術分野】
【０００１】
本発明は、印刷システム、印刷方法、及びプリンタドライバに関する。
【背景技術】
【０００２】
従来、印刷装置と、印刷装置にジョブデータ（ジョブ）を送信するデータ送信端末とを含む印刷システムが提案されている（例えば、特許文献１）。このような印刷システムにおいては、データ送信端末により、画像データ、及び印刷コマンド（例えば、印刷部数を含む）を含むジョブが作成され、そのジョブが印刷装置に送信される。そして、印刷装置において、ジョブに基づいて印刷が行われる。
【０００３】
また、特許文献２に示すように、外部から入力された画像データを印刷（直接印刷）した後においても、当該画像データを、再印刷に備えて印刷装置（画像処理装置）に保存しておく技術が知られている。
【先行技術文献】
【特許文献】
【０００４】
【特許文献１】特開２００７−４６８３号公報
【特許文献２】特開２００５−９４５４６号公報
【発明の概要】
【発明が解決しようとする課題】
【０００５】
ところで、再印刷時における印刷コマンドは、直接印刷時における印刷コマンドとは異なる場合があり、直接印刷用のジョブ（以下、印刷ジョブ）と再印刷用のジョブ（以下、保存ジョブ）とでは、その内容が異なる。従って、例えば、印刷装置において、印刷ジョブを書き換えることで保存ジョブを生成することが考えられる。しかしながら、印刷装置において当該書き換えを行うと、印刷装置の処理負担が大きくなり、直接印刷用のジョブについて印刷の高速化が困難となる。
【０００６】
本発明の目的は、直接印刷時の印刷コマンドとは異なる印刷コマンドで、ジョブを印刷装置に保存でき、且つ、直接印刷用の印刷ジョブにかかる印刷を高速に実行可能な印刷システム、印刷方法、及びプリンタドライバを提供することにある。
【課題を解決するための手段】
【０００７】
上記の課題を解決するために、本発明の印刷システムは、印刷装置と前記印刷装置にデータを送信するデータ送信端末とを含む印刷システムであって、前記データ送信端末は、ある画像データを元に、ジョブデータとして、当該画像データと第１印刷コマンドとを含む印刷ジョブと、当該画像データと第２印刷コマンドとを含む保存ジョブとをそれぞれ生成するジョブ生成部と、外部に前記ジョブデータを送信するための送信部と、前記データ送信端末を制御するデータ送信端末側制御部と、を備えており、前記印刷装置は、外部から前記ジョブデータを受信するための受信部と、前記ジョブデータを解析する解析部と、前記解析部での解析結果に基づいて、解析された前記ジョブデータが前記印刷ジョブであるか前記保存ジョブであるかを判定する判定部と、前記ジョブデータに含まれる画像データにかかる画像を記録媒体に印刷する印刷部と、前記ジョブデータを記憶する記憶部と、前記印刷装置を制御する印刷装置側制御部と、を備えており、前記データ送信端末側制御部は、同じ画像データを元にして生成された前記印刷ジョブと前記保存ジョブに関して、前記送信部によって前記印刷ジョブが前記保存ジョブよりも先に外部へ送信されるように制御し、前記印刷装置側制御部は、前記受信部で受信された前記ジョブデータを前記受信部で受信された順に前記解析部に解析させ、前記解析部で解析された前記ジョブデータが前記判定部において前記印刷ジョブと判定された場合には、前記印刷部によって当該印刷ジョブの前記第１印刷コマンドに基づいて、当該印刷ジョブの画像データにかかる画像を記録媒体に印刷させ、前記解析部で解析された前記ジョブデータが前記判定部において前記保存ジョブと判定された場合には、前記記憶部によって当該保存ジョブを記憶させるように制御することを特徴とする。
【０００８】
また、本発明の印刷方法は、印刷装置と前記印刷装置にデータを送信するデータ送信端末とを含む印刷システムで実行される印刷方法において、前記データ送信端末において実行される工程であって、ある画像データを元に、ジョブデータとして、当該画像データと第１印刷コマンドとを含む印刷ジョブと、当該画像データと第２印刷コマンドとを含む保存ジョブとをそれぞれ生成するジョブ生成工程と、前記データ送信端末において実行される工程であって、前記ジョブ生成工程において生成された前記ジョブデータを前記印刷装置に送信する送信工程と、前記印刷装置において実行される工程であって、前記送信工程において送信された前記ジョブデータを受信する受信工程と、前記印刷装置において実行される工程であって、前記受信工程において受信した前記ジョブデータを解析する解析工程と、前記印刷装置において実行される工程であって、前記解析工程で行った解析の結果に基づいて解析された前記ジョブデータが前記印刷ジョブであるか前記保存ジョブであるかを判定する判定工程と、前記印刷装置において実行される工程であって、前記判定工程において前記データ送信端末から送信された前記ジョブデータが前記印刷ジョブと判定された場合に、当該印刷ジョブの前記第１印刷コマンドに基づいて、当該印刷ジョブの画像データにかかる画像を記録媒体に印刷する印刷工程と、前記印刷装置において実行される工程であって、前記判定工程において前記データ送信端末から送信された前記ジョブデータが前記保存ジョブと判定された場合に、当該保存ジョブを記憶部に記憶する記憶工程と、を含んでおり、前記送信工程においては、同じ画像データから生成された前記印刷ジョブと前記保存ジョブに関して、前記印刷ジョブを前記保存ジョブよりも先に前記印刷装置に送信し、前記解析工程においては、前記受信工程において受信されたジョブデータを、前記受信工程で受信された順に前記解析部に解析させる、ことを特徴とする。
【０００９】
また、本発明のプリンタドライバは、データ送信端末で実行され、データを生成するとともにインターフェースを介して生成したデータを印刷装置に送信するプリンタドライバであって、前記データ送信端末に、ある画像データを元に、ジョブデータとして、当該画像データと第１印刷コマンドとを含む印刷ジョブと、当該画像データと第２印刷コマンドとを含む保存ジョブとをそれぞれ生成するジョブ生成工程と、前記ジョブ生成工程において生成された前記ジョブデータを前記印刷装置に送信する送信工程と、を実行させ、前記送信工程は、同じ画像データから生成された前記印刷ジョブと前記保存ジョブに関して、前記印刷ジョブを前記保存ジョブよりも先に前記印刷装置に送信することを特徴とする。
【００１０】
上記の印刷システム、印刷方法及び印刷システムの構成によれば、データ送信端末において保存ジョブが生成されるので、印刷装置において印刷ジョブから保存ジョブへのジョブの書き換えを行う必要が無い。その結果、印刷装置において印刷ジョブの印刷を高速に実行可能となる。また、同じ画像データを元にして生成された印刷ジョブと保存ジョブに関して、印刷ジョブが保存ジョブよりも先に印刷装置へ送信されるので、当該印刷ジョブに係る印刷を高速、且つ迅速に行うことができる。
【発明の効果】
【００１１】
本発明によると、直接印刷時の印刷コマンドとは異なる印刷コマンドで、ジョブを印刷装置に保存でき、且つ、直接印刷用の印刷ジョブにかかる印刷を高速に実行することができる。
【図面の簡単な説明】
【００１２】
【図１】本発明の第１実施形態に係る印刷システムの構成図である。
【図２】（ａ）は印刷ジョブのデータ構造、（ｂ）は保存ジョブのデータ構造、（ｃ）は印刷条件データのデータ構造をそれぞれ示す図である。
【図３】図１に示すデータ送信端末の機能ブロック図である。
【図４】図１に示す印刷装置の機能ブロック図である。
【図５】図１に示すデータ送信端末の制御フロー図である。
【図６】図１に示す印刷装置の制御フロー図である。
【図７】（ａ）は本発明の第２実施形態にかかる印刷システムにおけるデータ送信端末の制御フロー図であり、（ｂ）はデータパックのデータ構造を示す図である。
【図８】本発明の第２実施形態にかかる印刷システムにおける印刷装置の制御フロー図である。
【発明を実施するための形態】
【００１３】
以下、本発明の好適な実施の形態について、図面を参照しつつ説明する。
【００１４】
（第１実施形態）
先ず、図１〜６を参照し、第１実施形態にかかる印刷システム１について説明する。
【００１５】
（印刷システム１の構成）
図１に示すように、印刷システム１は、データ送信端末２０と、このデータ送信端末２０とネットワーク（ＷＡＮやＬＡＮなど）３を介して通信可能に接続された印刷装置６０とから主に構成されている。また、印刷システム１は、印刷装置６０において画像データにかかる画像の記録媒体（例えば、用紙）への印刷が終了した後において、当該印刷した画像データにかかる画像を、ユーザからの印刷指示により再度印刷する、いわゆる再印刷機能を有する。
【００１６】
データ送信端末２０は、ＰＣ等であり、ユーザの操作入力に基づいて、画像データを作成する機能を有する。また、データ送信端末２０は、ある画像データを元に、ジョブデータとして印刷ジョブと保存ジョブとをそれぞれ生成し、これらを印刷装置６０に送信する機能を有する。ここで、印刷ジョブとは、ジョブデータの送信先の印刷装置６０において、画像データにかかる画像の印刷を直ちに実行させるための直接印刷用のジョブである。一方、保存ジョブとは、ジョブデータの送信先の印刷装置６０において、当該保存ジョブを記憶させ、印刷ジョブに係る印刷処理が終了した後であり、且つ、ユーザから印刷指示を受け付けたときに、画像データにかかる画像の印刷を実行させるための再印刷用のジョブである。
【００１７】
図２（ａ），（ｂ）に示すように、印刷ジョブ及び保存ジョブそれぞれは、ヘッダ、及び画像データで構成されている。印刷ジョブのヘッダは、第１印刷コマンド（印刷ジョブに係る印刷処理時における、用紙サイズ、印刷部数、印刷面の種類、片面・両面印刷等の設定情報、及びジョブデータが第１印刷コマンド（印刷ジョブ）であることを示すジョブ識別子）、及び画像データの属性情報（画像データ名、画像データ作成者等の情報）を含む。一方、保存ジョブのヘッダは、第２印刷コマンド（保存ジョブに係る印刷処理時における、用紙サイズ、印刷部数、印刷面の種類、片面・両面印刷等の設定情報、及びジョブデータが第２印刷コマンド（保存ジョブ）であることを示すジョブ識別子）、及び属性情報を含む。なお、同じ画像データを元に生成された印刷ジョブ及び保存ジョブに含まれる画像データは同じ内容のものである。
【００１８】
印刷装置６０は、データ送信端末２０から受信したジョブデータに含まれる画像データにかかる画像を記録媒体に印刷する装置である。印刷装置６０は、ジョブデータが印刷ジョブの場合には、当該印刷ジョブの第１印刷コマンドに基づいて、画像データにかかる画像を記録媒体に印刷する。一方、受信したジョブデータが保存ジョブの場合には、当該保存ジョブを後述の記憶部８６に記憶する。そして、印刷ジョブに係る印刷が終了した後であり、且つ、ユーザから印刷指示を受け付けたときに、保存ジョブに含まれる第２印刷コマンドに基づいて、画像データにかかる画像を記録媒体に印刷する。
【００１９】
（データ送信端末２０）
次に、データ送信端末２０の構成について説明する。データ送信端末２０は、図３に示すように、データ送信端末側制御部２１、入力部２２、表示部２３、及び通信インターフェース２４を備えている。
【００２０】
入力部２２は、マウスやキーボードであり、ユーザから各種の操作入力を受け付けて、受け付けた操作入力をデータ送信端末側制御部２１に対して出力する。ユーザは、この入力部２２を介して印刷ジョブの第１印刷コマンドの設定等を行うことができる。表示部２３は、液晶ディスプレイからなり、データ送信端末側制御部２１から出力された表示データに基づいて、各種の設定画面やメッセージ等をユーザに対して表示する。
【００２１】
通信インターフェース２４は、ネットワーク３を介して印刷装置６０にジョブデータを送信するなど、外部と通信を行うための通信手段として機能する。本実施形態においては、通信インターフェース２４が本発明の送信部を構成する。
【００２２】
データ送信端末側制御部２１は、データ送信端末２０の各部の動作を制御するものであり、ＣＰＵ（Central Processing Unit）と、ＣＰＵが実行するプログラム（プリンタドライバなど）及びこれらプログラムに使用されるデータを書き替え可能に記憶するＲＯＭ（Read Only Memory）と、プログラム実行時にデータを一時的に記憶するＲＡＭ（Random Access Memory）とを含んでいる。データ送信端末側制御部２１を構成する各機能部は、これらハードウェアとＲＯＭ内のソフトウェアとが協働して構築されている。データ送信端末側制御部２１は、アプリケーション部３１、画像データ記憶部３２、ジョブデータ記憶部３３、及び印刷関係処理実行部３４を備えている。
【００２３】
アプリケーション部３１は、文書作成，図形・グラフ作成，表計算，データベース作成等を行うための様々なソフトウェアを有しており、ユーザの指示に従って、これらのソフトウェアを用いて画像データを作成する。
【００２４】
画像データ記憶部３２には、アプリケーション部３１で作成された画像データが記憶される。
【００２５】
印刷関係処理実行部３４は、ＰＤＬデータ変換部４１、印刷条件取得部４２、ジョブ生成部４３、及び通信制御部４４を有している。
【００２６】
ＰＤＬデータ変換部４１は、画像データ記憶部３２に保存されている画像データを、印刷装置６０が解釈可能なページ記述言語（ＰＤＬ：Page Description Language）で記述されたＰＤＬデータに変換する。これにより、データ送信端末２０から印刷装置６０に送信される画像データは容量が小さいＰＤＬデータとなるため、この画像データを含むジョブデータの印刷装置６０への送信にかかる通信時間を短くすることができる。
【００２７】
印刷条件取得部４２は、入力部２２を介してユーザから印刷条件設定指示を受け付けたときに、印刷条件に関する印刷ダイアログ画面を表示部２３に表示させる。この印刷ダイアログ画面には、印刷ジョブの第１印刷コマンドを設定するためのダイアログなどが表示される。その後、印刷条件取得部４２は、入力部２２がユーザから印刷条件の設定に関する入力を受け付けて、当該入力に基づいて印刷条件データを生成する。ここで、印刷条件データとは、画像データに関する付随情報であり、図２（ｃ）に示すように、印刷ジョブに含ませる第１印刷コマンド又は保存ジョブに含ませる第２印刷コマンド、及び画像データの属性情報を含むデータである。つまり、図２（ａ）及び図２（ｂ）で示した印刷ジョブ及び保存ジョブのヘッダのデータである。
【００２８】
ジョブ生成部４３は、ある画像データを元に、ジョブデータとして、印刷ジョブ及び保存ジョブを個別に生成する。具体的には、ＰＤＬデータ変換部４１で変換されたＰＤＬデータと印刷条件取得部４２で生成された印刷条件データに基づいて印刷ジョブと保存ジョブを生成する。本実施形態においては、ジョブ生成部４３は、印刷ジョブを生成した後、保存ジョブの生成が行われる。
【００２９】
通信制御部４４は、通信インターフェース２４を制御して、印刷装置６０と各種のデータ通信を行う。具体的には、通信制御部４４は、同じ画像データを元にして生成された印刷ジョブと保存ジョブに関して、印刷ジョブが保存ジョブよりも先に印刷装置６０に送信されるよう通信インターフェース２４を制御する。
【００３０】
ジョブデータ記憶部３３には、ジョブ生成部４３で生成された印刷ジョブ及び保存ジョブが記憶される。
【００３１】
（印刷装置６０）
次に、印刷装置６０の構成について説明する。印刷装置６０は、図４に示すように、印刷装置側制御部６１、印刷部６２、入出力部６３、及び通信インターフェース６４を備えている。
【００３２】
印刷部６２は、印刷装置側制御部６１の制御の下、ジョブデータに含まれる画像データにかかる画像を記録媒体に印刷する。入出力部６３は、タッチパネルからなり、印刷装置側制御部６１から入力された表示データに基づいて、各種の設定画面、メッセージ等をユーザに対して表示する。また、入出力部６３は、ユーザから操作入力を受け付けて、受け付けた操作入力を印刷装置側制御部６１に対して出力する。通信インターフェース６４は、ネットワーク３を介してデータ送信端末２０からジョブデータを受信するなど、外部と通信を行うための通信手段として機能する。本実施形態においては、通信インターフェース６４が本発明の受信部を構成し、入出力部６３が指示受付部を構成する。
【００３３】
印刷装置側制御部６１は、印刷装置６０の各部の動作を制御するものであり、ＣＰＵ（Central Processing Unit）と、ＣＰＵが実行するプログラム及びこれらプログラムに使用されるデータを書き替え可能に記憶するＲＯＭ（Read Only Memory）と、プログラム実行時にデータを一時的に記憶するＲＡＭ（Random Access Memory）とを含んでいる。印刷装置側制御部６１を構成する各機能部は、これらハードウェアとＲＯＭ内のソフトウェアとが協働して構築されている。印刷装置側制御部６１は、通信制御部８１、ジョブデータを一時的に記憶する一時記憶部８２、解析部８３、判定部８４、画像処理部８５、ジョブデータを記憶する記憶部８６、及び印刷制御部８７を有している。なお、一時記憶部８２はＲＡＭ等の揮発性メモリであり、記憶部８６はＨＤＤ等の不揮発性メモリである。
【００３４】
通信制御部８１は、通信インターフェース６４を制御して、データ送信端末２０と各種のデータ通信を行う。例えば、通信制御部８１は、通信インターフェース６４を介してジョブデータを受信した場合には、当該ジョブデータを一時記憶部８２に記憶させる。
【００３５】
解析部８３は、一時記憶部８２に一時的に記憶されているジョブデータを、通信インターフェース６４で受信された順に解析する。具体的には、解析部８３は、一時記憶部８２に一時的に記憶されているジョブデータに第１印刷コマンド及び第２印刷コマンドの何れが含まれているかを解析する。
【００３６】
判定部８４は、解析部８３の解析結果に基づいて、解析されたジョブデータが印刷ジョブであるか保存ジョブであるかを判定する。具体的には、解析部８３においてジョブデータに第１印刷コマンドが含まれていると解析されたときは、当該ジョブデータが印刷ジョブであると判定する。一方、解析部８３においてジョブデータに第２印刷コマンドが含まれていると解析されたときは、当該ジョブデータが保存ジョブであると判定し、当該保存ジョブを記憶部８６に記憶させる。
【００３７】
画像処理部８５は、印刷ジョブや保存ジョブに含まれている画像データ（ＰＤＬデータ）を、印刷部６２の駆動データに変換する。例えば、印刷部６２がインクジェットヘッドの場合、駆動データはインクジェットヘッドから記録媒体の単位領域毎に吐出するインクの量を表すデータとなり、既知の誤差拡散処理などを用いて印刷データ（ＰＤＬデータ）から駆動データに変換される（いわゆる多値化処理などが行われる。）。また、印刷装置６０がいわゆるレーザープリンタの場合、既知のディザ処理などを用いて画像データ（ＰＤＬデータ）から駆動データ（レーザ記録部の駆動データ）に変換される。また、駆動データは記録媒体の単位領域毎に記録される量的データ（インク量や濃度値などのいわゆる印字データなど）のデータのみならず、印刷部６２の駆動を制御するデータを含んでいてもよい。
【００３８】
印刷制御部８７は、一時記憶部８２に一時的に記憶されているジョブデータが、判定部８４により印刷ジョブであると判定された場合に、印刷部６２を制御して、当該印刷ジョブに含まれている画像データ（画像処理部８５により駆動データに変換された画像データ）にかかる画像を、印刷ジョブの第１印刷コマンドに基づいて記録媒体に印刷する。
【００３９】
また、印刷制御部８７は、入出力部６３を介してユーザから、記憶部８６に記憶されている保存ジョブの印刷指示を受け付けた場合には、印刷部６２を制御して、当該保存ジョブに含まれている画像データ（画像処理部８５により駆動データに変換された画像データ）にかかる画像を、保存ジョブの第２印刷コマンドに基づいて記録媒体に印刷する。
【００４０】
（データ送信端末２０の制御フロー）
次に、データ送信端末２０の制御フローについて図５を参照しつつ説明する。
【００４１】
まず、印刷関係処理実行部３４が、画像データ記憶部３２に記憶されている画像データの印刷指示を、入力部２２を介して受け付ける（ステップＣ１）と、ジョブ生成部４３が、当該画像データを元に、印刷ジョブを生成する（ステップＣ２:ジョブ生成工程）。印刷ジョブには、画像データ記憶部３２に記憶されている画像データ（ＰＤＬデータ変換部４１によりＰＤＬデータに変換された画像データ）、当該画像データに対応付けられた印刷条件データ及び属性情報が含まれる。生成した印刷ジョブは、ジョブデータ記憶部３３に記憶される。
【００４２】
次に、通信制御部４４が通信インターフェース２４を制御して、生成した印刷ジョブ（ジョブデータ記憶部３３に記憶されている印刷ジョブ）にかかるジョブデータを印刷装置６０に送信する（ステップＣ３：送信工程）。このように、印刷ジョブの生成及び印刷装置６０への送信は、保存ジョブの生成の前に行われるため、印刷ジョブに係る印刷を高速、且つ迅速に行うことができる。
【００４３】
次に、ジョブ生成部４３は、上記ステップＣ２において印刷ジョブを生成したときと同じ画像データを元に、保存ジョブを生成する（ステップＣ４：ジョブ生成工程）。この保存ジョブには、画像データ記憶部３２に記憶されている画像データ（ＰＤＬデータ変換部４１によりＰＤＬデータに変換された画像データ）、当該画像データに対応付けられた印刷条件データ及び属性情報が含まれる。生成した保存ジョブは、ジョブデータ記憶部３３に記憶される。
【００４４】
次に、通信制御部４４は、通信インターフェース２４が印刷装置６０から印刷終了データを受信したか否かを判断する（ステップＣ５）。ここで、印刷終了データとは、印刷装置６０において印刷ジョブに係る印刷処理が終了したことを示すデータである。
【００４５】
通信制御部４４が印刷終了データを受信していないと判断した場合（ステップＣ５：ＮＯ）には、ステップＣ５の処理を繰り返す。一方、印刷終了データを受信したと判断した場合（ステップＣ５：ＹＥＳ）には、通信制御部４４は、通信インターフェース２４を制御して、生成した保存ジョブ（ジョブデータ記憶部３３に記憶されている保存ジョブ）にかかるジョブデータを印刷装置６０に送信し（ステップＣ６：送信工程）、ステップＣ１の処理に戻る。このように、保存ジョブの印刷装置６０への送信は、印刷装置６０において印刷ジョブに係る印刷処理が終了した後に行われる。従って、印刷装置６０は、印刷ジョブに係る印刷処理中においては、保存ジョブの受信処理が行われないため、印刷装置の処理負担を軽減することができる。その結果、印刷ジョブに係る印刷を高速に行うことができる。以上、データ送信端末２０の制御フローについて説明した。
【００４６】
（印刷装置６０の制御フロー）
次に、印刷装置６０の制御フローについて、図６を参照しつつ説明する。まず、通信制御部８１が、通信インターフェース６４を介してデータ送信端末２０からジョブデータを受信（受信工程）したか否かを判断する（ステップＤ１）。ジョブデータを受信したと判断した場合（ステップＤ１：ＹＥＳ）には、通信制御部８１は受信したジョブデータを一時記憶部８２に記憶する（ステップＤ２：一時記憶工程）。次に、解析部８３が、一時記憶部８２に記憶されているジョブデータを参照することで、当該ジョブデータに第１印刷コマンド及び第２印刷コマンドの何れが含まれるかを解析する（ステップＤ３：解析工程）。
【００４７】
次に、判定部８４が、解析部８３での解析結果に基づいて、解析されたジョブデータが印刷ジョブであるか保存ジョブであるかを判定する（ステップＤ４：判定工程）。具体的には、判定部８４は、解析部８３においてジョブデータに第１印刷コマンドが含まれると解析されたときは当該ジョブデータが印刷ジョブであると判定する。一方、解析部８３においてジョブデータに第２印刷コマンドが含まれると解析されたときは当該ジョブデータが保存ジョブであると判定する。
【００４８】
次に、ステップＤ４において、判定部８４が、ジョブデータが印刷ジョブであると判定した場合（ステップＤ５：ＹＥＳ）には、画像処理部８５が当該ジョブデータ（印刷ジョブ）に含まれる画像データ（ＰＤＬデータ）を駆動データに変換する（ステップＤ６）。そして、印刷制御部８７は、印刷部６２を制御して、印刷ジョブに含まれる第１印刷コマンドに基づいて、画像データ（駆動データ）にかかる画像を記録媒体に印刷する（ステップＤ７：印刷工程）。その後、印刷制御部８７は、印刷が終了した印刷ジョブを一時記憶部８２から削除（廃棄）（ステップＤ８：廃棄工程）する。次に、通信制御部８１が、通信インターフェース６４を制御してジョブデータの送信元のデータ送信端末２０に、印刷終了データを送信して（ステップＤ９）、ステップＤ１の処理に戻る。
【００４９】
一方、ステップＤ４において、判定部８４が、ジョブデータが保存ジョブであると判定した場合（ステップＤ５：ＮＯ）には、判定部８４は、当該ジョブデータ（保存ジョブ）を記憶部８６に記憶し（ステップＤ１０：記憶工程）、記憶された保存ジョブを一時記憶部８２から削除して、ステップＤ１の処理に戻る。
【００５０】
また、ステップＤ１において、通信制御部８１が、ジョブデータを受信していないと判断した場合（ステップＤ１：ＮＯ）には、印刷制御部８７は、入出力部６３を介してユーザから、保存ジョブ一覧表示指示を受け付けたか否かを判断する（ステップＤ１１）、保存ジョブ一覧表示指示を受け付けていないと判断した場合（ステップＤ１１：ＮＯ）には、ステップＤ１の処理に戻る。
【００５１】
一方、保存ジョブ一覧表示指示を受け付けたと判断した場合（ステップＤ１１：ＹＥＳ）には、印刷制御部８７は、記憶部８６に記憶されている保存ジョブに含まれる属性情報を抽出して、当該属性情報に含まれる画像データ名の一覧表を入出力部６３に表示する（ステップＤ１２）。その後、印刷制御部８７は、入出力部６３を介して、印刷部６２において実行する保存ジョブ（画像データ名）が選択されたか否かを判断する（ステップＤ１３）。保存ジョブの選択がされない場合（ステップＤ１３：ＮＯ）には、ステップＤ１の処理に戻る。
【００５２】
一方、保存ジョブが選択された場合（ステップＤ１３：ＹＥＳ）には、選択された保存ジョブに関する印刷指示を受け付けたとし、画像処理部８５が、当該保存ジョブに含まれる画像データを駆動データに変換する（ステップＤ１４）。そして、印刷制御部８７は、印刷部６２を制御して、保存ジョブに含まれる第２印刷コマンドに基づいて、画像データ（駆動データ）にかかる画像を記録媒体に印刷する（ステップＤ１５：保存ジョブ印刷工程）。その後、印刷制御部８７は、印刷処理が実行された保存ジョブを記憶部８６から削除（廃棄）して（ステップＤ１６）、ステップＤ１の処理に戻る。以上、印刷装置６０の制御フローについて説明した。
【００５３】
以上、第１実施形態によると、データ送信端末２０において保存ジョブが生成されるので、印刷装置６０において印刷ジョブから保存ジョブへのジョブの書き換えを行う必要が無い。その結果、印刷装置６０において印刷ジョブの印刷を高速に実行可能となる。また、同じ画像データを元にして生成された印刷ジョブと保存ジョブに関して、印刷ジョブが保存ジョブよりも先に印刷装置６０へ送信されるので、当該印刷ジョブに係る印刷を高速、且つ迅速に行うことができる。
【００５４】
また、ジョブ生成部４３は、印刷ジョブにかかるジョブデータと保存ジョブにかかるジョブデータを個別に生成しているため、データ送信端末２０においてユーザから印字指令を受け付けたときに、印刷ジョブにかかるジョブデータを先行して生成し、印刷装置６０に送信することができる。その結果、印刷ジョブに係る印刷を高速、且つ迅速に行うことができる。また、保存ジョブの送信は、印刷装置６０やデータ送信端末２０において処理が空いている時間に行えばよいので、印刷装置６０やデータ送信端末２０の処理負担を軽減することができる。
【００５５】
また、保存ジョブの記憶部８６への記憶処理は、印刷ジョブにかかる印刷処理が終了した後に行われるため、印刷ジョブに係る印刷を高速、且つ迅速に行うことができる。さらには、印刷ジョブにかかる印刷処理中には、記録処理が行われないため、印刷装置６０の処理負担を軽減することができる。
【００５６】
（第２実施形態）
次に、本発明の第２実施形態について、図７及び図８を参照して説明する。第２実施形態において第１実施形態と異なる点は、第１実施形態においては、データ送信端末２０のジョブ生成部４３は、印刷ジョブにかかるジョブデータと保存ジョブにかかるジョブデータとを個別に生成していたが、第２実施形態においては、ジョブ生成部４３は印刷ジョブにかかるジョブデータと保存ジョブにかかるジョブデータとを一体として生成している点である。また、第１実施形態において、ジョブ生成部４３は、印刷指令を受け付けた画像データに関して、印刷ジョブにかかるジョブデータ及び保存ジョブにかかるジョブデータそれぞれが必ず生成される態様にされていたが、第２実施形態においては、ユーザから保存ジョブの生成に関する設定を受け付けていた場合にのみ、印刷ジョブにかかるジョブデータ及び保存ジョブにかかるジョブデータをそれぞれ生成し、上記保存ジョブの生成に関する設定を受け付けていない場合には、印刷ジョブにかかるジョブデータのみ生成する点でも異なる。なお、保存ジョブの生成に関する設定情報は、印刷条件取得部４２により取得される。以下においては、上述した第１実施形態と同一の箇所については同一の符号を付し、その説明を適宜省略する。
【００５７】
本実施形態において、データ送信端末２０のジョブ生成部４３は、ユーザから保存ジョブの生成に関する設定を受け付けていた場合には、図７（ｂ）に示すように印刷ジョブにかかるジョブデータと保存ジョブにかかるジョブデータとを一体にしたデータパックを生成する。なお、ジョブ生成部４３は、印刷ジョブにかかるジョブデータ及び保存ジョブにかかるジョブデータの順にデータパックを構成する。即ち、ジョブ生成部４３は、印刷ジョブにかかるジョブデータの配置位置よりも後ろに、保存ジョブにかかるジョブデータが配置されるようにデータパックを生成する。
【００５８】
データ送信端末２０の通信制御部４４は、データパックを、印刷ジョブにかかるジョブデータが構成されている部分が、保存ジョブにかかるジョブデータが構成されている部分よりも先に印刷装置６０へ送信されるよう通信インターフェース２４を制御する。
【００５９】
（データ送信端末２０の制御フロー）
次に、第２実施形態にかかるデータ送信端末２０の制御フローについて、図７（ａ）を参照しつつ説明する。
【００６０】
まず、印刷関係処理実行部３４が、画像データ記憶部３２に記憶されている画像データの印刷指示を、入力部２２を介して受け付ける（ステップＥ１）と、ジョブ生成部４３は、印刷条件取得部４２により取得された保存ジョブの生成に関する設定情報を参照して、画像データ記憶部３２に保存されている画像データに関して保存ジョブを生成するか否かを判断する（ステップＥ２）。保存ジョブを生成すると判断した場合（ステップＥ２：ＹＥＳ）には、ジョブ生成部４３は、当該画像データを元に、印刷ジョブにかかるジョブデータと保存ジョブにかかるジョブデータとを一体にしたデータパックを生成し（ステップＥ３：ジョブ生成工程）、ステップＥ５の処理に移る。
【００６１】
一方、ステップＥ２において、保存ジョブを生成しないと判断した場合（ステップＥ２：ＮＯ）には、ジョブ生成部４３は、当該画像データを元に、印刷ジョブにかかるジョブデータのみを生成し（ステップＥ４）、ステップＥ５の処理に移る。
【００６２】
ステップＥ５の処理においては、通信制御部４４が通信インターフェース２４を制御して、ステップＥ３において生成したデータパック、又はステップＥ４において生成したジョブデータを印刷装置６０に送信する（送信工程）。このように、保存ジョブは、印刷ジョブと一体にされたデータパックにより印刷装置６０に送信されるので、データ送信端末２０と印刷装置６０との間のジョブデータに関するデータ通信回数を減らすことができる。ステップＥ５の処理が終了すると、ステップＥ１の処理に戻る。以上、データ送信端末２０の制御フローについて説明した。
【００６３】
（印刷装置６０の制御フロー）
次に、第２実施形態にかかる印刷装置６０の制御フローについて、図８を参照しつつ説明する。まず、通信制御部８１が、通信インターフェース６４がデータ送信端末２０からジョブデータを受信（受信工程）したか否かを判断する（ステップＦ１）。ジョブデータを受信したと判断した場合（ステップＦ１：ＹＥＳ）には、通信制御部８１は受信したジョブデータを一時記憶部８２に記憶する（ステップＦ２：一時記憶工程）。なお、通信インターフェース６４がデータパックを受信した際には、当該データパックにおいて、印刷ジョブにかかるジョブデータが構成されている部分が、保存ジョブにかかるジョブデータが構成されている部分よりも先に通信インターフェース６４に受信されることになる。
【００６４】
次に、解析部８３が、一時記憶部８２に記憶されているジョブデータのうち、通信インターフェース６４により最も早くに受信されたジョブデータに含まれるジョブ識別子を参照することで、当該ジョブデータに第１印刷コマンド及び第２印刷コマンドの何れが含まれるかを解析し（ステップＦ３：解析工程）、ステップＦ４の処理に移る。
【００６５】
ステップＦ４〜ステップＦ８，ステップＦ１０の処理は、上述したステップＤ４〜ステップＤ８，ステップＤ１０の処理と略同様であるため、説明は省略する。ステップＦ８の処理が終了すると、解析部８３は、一時記憶部８２にジョブデータが記憶されているかどうかを判断する（ステップＦ９）。ジョブデータが記憶されていると判断した場合（ステップＦ９：ＹＥＳ）には、ステップＦ３の処理に戻る。一方、ジョブデータが記憶されていないと判断した場合（ステップＦ９：ＮＯ）には、ステップＦ１の処理に戻る。
【００６６】
また、ステップＦ１において、通信制御部８１が、データパケット、又はジョブデータを受信していないと判断した場合（ステップＦ１：ＮＯ）には、ステップＦ１１の処理に移る。ステップＦ１１〜ステップＦ１６の処理は、上述したステップＤ１１〜ステップＤ１６の処理と略同様であるため、説明は省略する。以上、印刷装置６０の制御フローについて説明した。
【００６７】
以上のように第２実施形態によると、印刷ジョブ及び保存ジョブを一体にしたデータパックがデータ送信端末２０から印刷装置６０へ送信しているため、データ送信端末２０と印刷装置６０との間のジョブデータに関するデータ通信回数を減らすことができる。
【００６８】
また、保存ジョブの記憶部８６への記憶処理は、印刷ジョブにかかる印刷処理が終了した後に行われるため、印刷ジョブに係る印刷を高速、且つ迅速に行うことができる。さらには、印刷ジョブにかかる印刷処理中には、記録処理が行われないため、印刷装置６０の処理負担を軽減することができる。
【００６９】
以上、本発明の好適な実施の形態について説明したが、本発明は上述の実施の形態に限られるものではなく、特許請求の範囲に記載した限りにおいて様々な変更が可能なものである。例えば、上述の実施形態においては、保存ジョブに含ませる第２印刷コマンドについて第１印刷コマンドと同様に、ユーザによる設定が可能となっているが、データ送信端末２０において設定される第２印刷コマンドは簡略なものとしておき、印刷装置６０で詳細な印刷設定がされる構成であってもよい。この構成では実際に印刷をする際に、ユーザの希望に応じた条件で印刷を実行することが可能となる。
【００７０】
また、上述の第１実施形態において、印刷ジョブを生成した後、保存ジョブの生成が行われていたが、印刷ジョブを生成する前に保存ジョブの生成が行われるようにされていてもよい。また、上述の第１実施形態においては、印刷ジョブの印刷装置６０への送信後に保存ジョブが生成される態様にされているが、印刷ジョブの印刷装置６０への送信前に、保存ジョブが生成されるようにされていてもよい。これらの場合においては、通信制御部４４が、印刷ジョブの方が保存ジョブよりも先に印刷装置６０に送信されるよう通信インターフェース２４を制御すればよい。
【００７１】
また、上述の実施形態においては、データ送信端末２０から印刷装置６０に送信される印刷ジョブに含まれる画像データはＰＤＬデータであるが、駆動データであってもよい。例えば、データ送信端末２０から印刷装置６０へ駆動データを送信する際に要する通信時間から、ＰＤＬデータを送信する際に要する通信時間を減算した処理時間が、画像処理部８５においてＰＤＬデータから駆動データへ変換する処理時間よりも短い場合には、データ送信端末２０から印刷装置６０に送信される印刷ジョブに含まれる画像データが駆動データであってもよい。
【００７２】
また、データ送信端末２０において、複数の画像データに関して印刷指令を連続して受け付けたときには、当該複数の画像データそれぞれにかかる複数の印刷ジョブを送信した後、当該複数の画像データそれぞれにかかる複数の保存ジョブを送信するようにされていてもよい。
【００７３】
また、データ送信端末２０については持ち運び可能な携帯端末であってもよい。その場合はデータ送信端末２０と印刷装置６０間の通信は無線通信で通信されることになる。
【符号の説明】
【００７４】
１  印刷システム
２０  データ送信端末
２１  データ送信端末側制御部
２４  通信インターフェース（送信部）
４３  ジョブ生成部
６０  印刷装置
６１  印刷装置側制御部
６２  印刷部
６４  通信インターフェース（受信部）
８３  解析部
８４  判定部
８６  記憶部
【図１】
2013161355.tif 000003
【図２】
2013161355.tif 000004
【図３】
2013161355.tif 000005
【図４】
2013161355.tif 000006
【図５】
2013161355.tif 000007
【図６】
2013161355.tif 000008
【図７】
2013161355.tif 000009
【図８】
2013161355.tif 000010
【手続補正書】
【提出日】平成25年2月15日(2013.2.15)
【手続補正１】
【補正対象書類名】特許請求の範囲
【補正対象項目名】全文
【補正方法】変更
【補正の内容】
【特許請求の範囲】
【請求項１】
印刷装置と前記印刷装置にデータを送信するデータ送信端末とを含む印刷システムであって、
前記データ送信端末は、
ある画像データを元に、ジョブデータとして、当該画像データと第１印刷コマンドとを含む印刷ジョブと、当該画像データと第２印刷コマンドとを含む保存ジョブとをそれぞれ生成するジョブ生成部と、
外部に前記ジョブデータを送信するための送信部と、
前記データ送信端末を制御するデータ送信端末側制御部と、
を備えており、
前記印刷装置は、
外部から前記ジョブデータを受信するための受信部と、
前記ジョブデータを解析する解析部と、
前記解析部での解析結果に基づいて、解析された前記ジョブデータが前記印刷ジョブであるか前記保存ジョブであるかを判定する判定部と、
前記ジョブデータに含まれる画像データにかかる画像を記録媒体に印刷する印刷部と、
前記ジョブデータを記憶する記憶部と、
前記印刷装置を制御する印刷装置側制御部と、
を備えており、
前記データ送信端末側制御部は、
同じ画像データを元にして生成された前記印刷ジョブと前記保存ジョブに関して、前記送信部によって前記印刷ジョブが前記保存ジョブよりも先に外部へ送信されるように制御し、
前記印刷装置側制御部は、
前記受信部で受信された前記ジョブデータを前記受信部で受信された順に前記解析部に解析させ、
前記解析部で解析された前記ジョブデータが前記判定部において前記印刷ジョブと判定された場合には、前記印刷部によって当該印刷ジョブの前記第１印刷コマンドに基づいて、当該印刷ジョブの画像データにかかる画像を記録媒体に印刷させ、前記解析部で解析された前記ジョブデータが前記判定部において前記保存ジョブと判定された場合には、前記記憶部によって当該保存ジョブを記憶させるように制御することを特徴とする印刷システム。
【請求項２】
前記解析部は、前記ジョブデータに前記第１印刷コマンド及び前記第２印刷コマンドの何れが含まれているかを解析し、
前記判定部は、前記解析部において前記ジョブデータに第１印刷コマンドが含まれていると解析されたときは前記ジョブデータが前記印刷ジョブであると判定し、前記解析部において前記ジョブデータに第２印刷コマンドが含まれていると解析されたときは前記ジョブデータが前記保存ジョブであると判定することを特徴とする請求項１に記載の印刷システム。
【請求項３】
前記ジョブ生成部は、前記印刷ジョブにかかる前記ジョブデータと前記保存ジョブにかかる前記ジョブデータを一体として生成し、且つ、前記印刷ジョブにかかる前記ジョブデータ及び前記保存ジョブにかかる前記ジョブデータの順にデータが構成されるように生成し、
前記データ送信端末側制御部は、前記ジョブ生成部において一体として生成された前記印刷ジョブにかかる前記ジョブデータと前記保存ジョブにかかる前記ジョブデータを、前記印刷ジョブにかかる前記ジョブデータが構成されている部分及び前記保存ジョブにかかる前記ジョブデータが構成されている部分の順で前記印刷装置に送信させるように前記送信部を制御することを特徴とする請求項１又は２に記載の印刷システム。
【請求項４】
前記ジョブ生成部において、前記印刷ジョブにかかる前記ジョブデータと前記保存ジョブにかかる前記ジョブデータを個別に生成し、
前記データ送信端末側制御部は、前記ジョブ生成部において個別に生成された前記印刷ジョブにかかる前記ジョブデータ及び前記保存ジョブにかかる前記ジョブデータを、前記印刷ジョブにかかる前記ジョブデータ及び前記保存ジョブにかかる前記ジョブデータの順で前記印刷装置に送信させるように前記送信部を制御することを特徴とする請求項１又は２に記載の印刷システム。
【請求項５】
前記受信部において受信した前記印刷ジョブにかかる前記ジョブデータと前記保存ジョブにかかる前記ジョブデータを一時的に記憶する一時記憶部を更に有し、
前記印刷装置側制御部は、
前記一時記憶部に記憶された前記印刷ジョブに含まれる画像データにかかる画像を記録媒体に印刷させるように前記印刷部を制御し、その後、前記一時記憶部に記憶された前記保存ジョブを前記記憶部に記憶させることを特徴とする請求項３又は４に記載の印刷システム。
【請求項６】
前記記憶部に記憶されている前記保存ジョブに係る印刷指示を、外部から受け付ける指示受付部を更に備えており、
前記印刷装置側制御部は、前記指示受付部に前記印刷指示が入力された場合に、前記記憶部に記憶されている前記保存ジョブに含まれる前記第２印刷コマンドに基づいて、当該保存ジョブの画像データに係る画像を記録媒体へ印刷させるように前記印刷部を制御することを特徴とする請求項１〜５のいずれか１項に記載の印刷システム。
【請求項７】
印刷装置と前記印刷装置にデータを送信するデータ送信端末とを含む印刷システムで実行される印刷方法において、
前記データ送信端末において実行される工程であって、ある画像データを元に、ジョブデータとして、当該画像データと第１印刷コマンドとを含む印刷ジョブと、当該画像データと第２印刷コマンドとを含む保存ジョブとをそれぞれ生成するジョブ生成工程と、
前記データ送信端末において実行される工程であって、前記ジョブ生成工程において生成された前記ジョブデータを前記印刷装置に送信する送信工程と、
前記印刷装置において実行される工程であって、前記送信工程において送信された前記ジョブデータを受信する受信工程と、
前記印刷装置において実行される工程であって、前記受信工程において受信した前記ジョブデータを解析する解析工程と、
前記印刷装置において実行される工程であって、前記解析工程で行った解析の結果に基づいて解析された前記ジョブデータが前記印刷ジョブであるか前記保存ジョブであるかを判定する判定工程と、
前記印刷装置において実行される工程であって、前記判定工程において前記データ送信端末から送信された前記ジョブデータが前記印刷ジョブと判定された場合に、当該印刷ジョブの前記第１印刷コマンドに基づいて、当該印刷ジョブの画像データにかかる画像を記録媒体に印刷する印刷工程と、
前記印刷装置において実行される工程であって、前記判定工程において前記データ送信端末から送信された前記ジョブデータが前記保存ジョブと判定された場合に、当該保存ジョブを記憶部に記憶する記憶工程と、を含んでおり、
前記送信工程においては、同じ画像データから生成された前記印刷ジョブと前記保存ジョブに関して、前記印刷ジョブを前記保存ジョブよりも先に前記印刷装置に送信し、
前記解析工程においては、前記受信工程において受信されたジョブデータを、前記受信工程で受信された順に解析する、ことを特徴とする印刷方法。
【請求項８】
前記解析工程は、前記ジョブデータに前記第１印刷コマンド及び前記第２印刷コマンドの何れが含まれているかが解析されるものであり、
前記判定工程において、前記解析工程において前記ジョブデータに第１印刷コマンドが含まれていると解析されたときは前記ジョブデータが前記印刷ジョブであると判定し、前記解析工程において前記ジョブデータに第２印刷コマンドが含まれていると解析されたときは前記ジョブデータが前記保存ジョブであると判定することを特徴とする請求項７に記載の印刷方法。
【請求項９】
前記ジョブ生成工程において、前記印刷ジョブにかかる前記ジョブデータと前記保存ジョブにかかる前記ジョブデータを一体として生成し、且つ、前記印刷ジョブにかかる前記ジョブデータ及び前記保存ジョブにかかる前記ジョブデータの順にデータが構成されるように生成し、
前記送信工程において、前記ジョブ生成工程において一体として生成された前記印刷ジョブにかかる前記ジョブデータと前記保存ジョブにかかる前記ジョブデータを、前記印刷ジョブにかかる前記ジョブデータが構成されている部分及び前記保存ジョブにかかる前記ジョブデータが構成されている部分の順で前記印刷装置に送信することを特徴とする請求項７又は８に記載の印刷方法。
【請求項１０】
前記ジョブ生成工程において、前記印刷ジョブにかかる前記ジョブデータと前記保存ジョブにかかる前記ジョブデータを個別に生成し、
前記送信工程において、前記ジョブ生成工程において個別に生成された前記印刷ジョブにかかる前記ジョブデータ及び前記保存ジョブにかかる前記ジョブデータを、前記印刷ジョブにかかる前記ジョブデータ及び前記保存ジョブにかかる前記ジョブデータの順で前記印刷装置に送信することを特徴とする請求項７又は８に記載の印刷方法。
【請求項１１】
前記受信工程において受信した前記印刷ジョブにかかる前記ジョブデータと前記保存ジョブにかかる前記ジョブデータを一時記憶部に記憶する一時記憶工程をさらに含んでおり、
前記解析工程は、前記一時記憶部に記憶された前記ジョブデータを解析するものであり、
前記印刷工程は、前記一時記憶部に記憶された前記印刷ジョブに含まれる画像データにかかる画像を記録媒体に印刷するものであり、
前記記憶工程は、前記一時記憶部に記憶された前記印刷ジョブにかかる前記印刷工程の後に、前記一時記憶部に記憶された前記保存ジョブを記憶部に記憶するものであることを特徴とする請求項９又は１０に記載の印刷方法。
【請求項１２】
前記印刷工程の後に、前記印刷工程にかかる前記印刷ジョブを前記印刷装置内から廃棄する廃棄工程と、
前記廃棄工程の後に、前記印刷装置に対して入力される印刷指令に基づき、前記記録工程において前記記憶部に記憶された前記保存ジョブに含まれる前記第２印刷コマンドに基づいて、当該保存ジョブの画像データにかかる画像を記録媒体に印刷する保存ジョブ印刷工程とを含んでいることを特徴とする請求項７〜１１のいずれか１項に記載の印刷方法。
【請求項１３】
データ送信端末で実行され、データを生成するとともにインターフェースを介して生成したデータを印刷装置に送信するプリンタドライバであって、
前記データ送信端末に、ある画像データを元に、ジョブデータとして、当該画像データと第１印刷コマンドとを含む印刷ジョブと、当該画像データと第２印刷コマンドとを含む保存ジョブとをそれぞれ生成するジョブ生成工程と、前記ジョブ生成工程において生成された前記ジョブデータを前記印刷装置に送信する送信工程と、を実行させ、
前記送信工程は、同じ画像データから生成された前記印刷ジョブと前記保存ジョブに関して、前記印刷ジョブを前記保存ジョブよりも先に前記印刷装置に送信することを特徴とするプリンタドライバ。 
【手続補正２】
【補正対象書類名】明細書
【補正対象項目名】０００４
【補正方法】変更
【補正の内容】
【０００４】
【特許文献１】特開２００７−４６８３号公報
【特許文献２】特開２００５−９４５６４号公報
【手続補正３】
【補正対象書類名】明細書
【補正対象項目名】０００８
【補正方法】変更
【補正の内容】
【０００８】
また、本発明の印刷方法は、印刷装置と前記印刷装置にデータを送信するデータ送信端末とを含む印刷システムで実行される印刷方法において、前記データ送信端末において実行される工程であって、ある画像データを元に、ジョブデータとして、当該画像データと第１印刷コマンドとを含む印刷ジョブと、当該画像データと第２印刷コマンドとを含む保存ジョブとをそれぞれ生成するジョブ生成工程と、前記データ送信端末において実行される工程であって、前記ジョブ生成工程において生成された前記ジョブデータを前記印刷装置に送信する送信工程と、前記印刷装置において実行される工程であって、前記送信工程において送信された前記ジョブデータを受信する受信工程と、前記印刷装置において実行される工程であって、前記受信工程において受信した前記ジョブデータを解析する解析工程と、前記印刷装置において実行される工程であって、前記解析工程で行った解析の結果に基づいて解析された前記ジョブデータが前記印刷ジョブであるか前記保存ジョブであるかを判定する判定工程と、前記印刷装置において実行される工程であって、前記判定工程において前記データ送信端末から送信された前記ジョブデータが前記印刷ジョブと判定された場合に、当該印刷ジョブの前記第１印刷コマンドに基づいて、当該印刷ジョブの画像データにかかる画像を記録媒体に印刷する印刷工程と、前記印刷装置において実行される工程であって、前記判定工程において前記データ送信端末から送信された前記ジョブデータが前記保存ジョブと判定された場合に、当該保存ジョブを記憶部に記憶する記憶工程と、を含んでおり、前記送信工程においては、同じ画像データから生成された前記印刷ジョブと前記保存ジョブに関して、前記印刷ジョブを前記保存ジョブよりも先に前記印刷装置に送信し、前記解析工程においては、前記受信工程において受信されたジョブデータを、前記受信工程で受信された順に解析する、ことを特徴とする。